(57)【要約】【課題】水栓本体の構造が単純であって、容易にかつ低コストで製造することができ、また、不良品の発生を抑制することができる湯水混合水栓および単水栓を提供する。【解決手段】湯水混合水栓１は管状の水栓本体２を備える。水栓本体２の一端側に湯入口２１Ａ、他端側に水入口２１Ｂを設け、長さ中間部に混合湯水出口２２を設ける。水栓本体２の両端開口を蓋３で閉鎖する。水栓本体２内の湯入口２１Ａ、水入口２１Ｂに対応する箇所に湯側流路形成部材４Ａ、水側流路形成部材４Ｂを配置固定し、水栓本体２内を湯側弁室２０Ａと水側弁室２０Ｂと湯水混合室２０Ｃとに区画する。流路形成部材４Ａ，４Ｂは、湯入口２１Ａ、水入口２１Ｂと湯側弁室２０Ａ、水側弁室２０Ｂを連通させる１次側流路４０１と、湯側弁室２０Ａ、水側弁室２０Ｂと湯水混合室２０Ｃを連通させる２次側流路４０２とを有する。湯側弁室２０Ａ、水側弁室２０Ｂに湯側開閉弁５Ａ、水側開閉弁５Ｂを設ける。【選択図】　図１
2004076888.tif 000002
【特許請求の範囲】
【請求項１】
管状の水栓本体（２）を備え、水栓本体（２）の一端側に湯入口（２１Ａ）が、同他端側に水入口（２１Ｂ）が設けられ、水栓本体（２）における湯入口（２１Ａ）と水入口（２１Ｂ）との間の長さ中間部に混合湯水出口（２２）が設けられ、水栓本体（２）の両端開口が蓋（３）によって閉鎖され、水栓本体（２）内における湯入口（２１Ａ）および水入口（２１Ｂ）に対応する箇所に湯側流路形成部材（４Ａ）および水側流路形成部材（４Ｂ）がそれぞれ配置固定され、これらの部材（４Ａ）（４Ｂ）によって、水栓本体（２）内が、一端側に位置する湯側弁室（２０Ａ）と、他端側に位置する水側弁室（２０Ｂ）と、長さ中間部に位置する湯水混合室（２０Ｃ）とに区画されており、湯側流路形成部材（４Ａ）および水側流路形成部材（４Ｂ）は、湯入口（２１Ａ）と湯側弁室（２０Ａ）および水入口（２１Ｂ）と水側弁室（２０Ｂ）をそれぞれ連通させる１次側流路（４０１）と、湯側弁室（２０Ａ）と湯水混合室（２０Ｃ）および水側弁室（２０Ｂ）と湯水混合室（２０Ｃ）をそれぞれ連通させる２次側流路（４０２）とを有し、湯側弁室（２０Ａ）および水側弁室（２０Ｂ）に湯側開閉弁（５Ａ）および水側開閉弁（５Ｂ）がそれぞれ設けられている、湯水混合水栓。
【請求項２】
水栓本体（２）が、所定長さに切断された金属管よりなる、請求項１記載の湯水混合水栓。
【請求項３】
水栓本体（２）が、管状に成形された鋳物よりなる、請求項１記載の湯水混合水栓。
【請求項４】
湯側流路形成部材（４Ａ）および水側流路形成部材（４Ｂ）それぞれが、湯入口（２１Ａ）または水入口（２１Ｂ）を挟むように互いに間隔をおいて水栓本体（２）内に嵌め込まれる２枚の仕切板（４１）（４２）と、両仕切板（４１）（４２）どうしを連結する少なくとも１つの連結筒（４３）とを備えており、各流路形成部材（４Ａ）（４Ｂ）の１次側流路（４０１）が、両仕切板（４１）（４２）どうしの間隙と、弁室（２０Ａ）（２０Ｂ）側に位置する仕切板（４１）に連結筒（４３）を避けてあけられた導入孔（４１１）とによって形成され、２次側流路（４０２）が、連結筒（４３）の内部と、連結筒（４３）の内部に通じるように両仕切板（４１）（４２）にあけられた導出孔（４１２）（４２２）とによって形成されている、請求項１〜３のいずれか１つに記載の湯水混合水栓。
【請求項５】
管状の水栓本体（２００）を備え、水栓本体（２００）の長さ中間部に湯または水入口（２１０）が設けられ、水栓本体（２００）の両端開口が蓋（３００Ａ）（３００Ｂ）によって閉鎖され、水栓本体（２００）の一端側部分または一端側の蓋（３００Ｂ）に湯または水出口（３１０）が設けられ、水栓本体（２００）内における湯または水入口（２１０）に対応する箇所に流路形成部材（４００）が配置固定され、該部材（４００）によって、水栓本体（２００）内が、他端側に位置する弁室（２００Ａ）と、一端側に位置しかつ湯または水出口（３１０）に通じる導出室（２００Ｂ）とに区画されており、流路形成部材（４００）は、湯または水入口（２１０）と弁室（２００Ａ）とを連通させる１次側流路（４０１）と、弁室（２００Ａ）と導出室（２００Ｂ）とを連通させる２次側流路（４０２）とを有し、弁室（２００Ａ）に開閉弁（５００）が設けられている、単水栓。
【請求項６】
水栓本体（２００）が、所定長さに切断された金属管よりなる、請求項５記載の単水栓。
【請求項７】
水栓本体（２００）が、管状に成形された鋳物よりなる、請求項５記載の単水栓。
【請求項８】
流路形成部材（４００）が、湯または水入口（２１０）を挟むように互いに間隔をおいて水栓本体（２００）内に嵌め込まれる２枚の仕切板（４１）（４２）と、両仕切板（４１）（４２）どうしを連結する少なくとも１つの連結筒（４３）とを備えており、該部材（４００）の１次側流路（４０１）が、両仕切板（４１）（４２）どうしの間隙と、弁室（２００Ａ）側に位置する仕切板（４１）に連結筒（４３）を避けてあけられた導入孔（４１１）とによって形成され、２次側流路（４０２）が、連結筒（４３）の内部と、連結筒（４３）の内部に通じるように両仕切板（４１）（４２）にあけられた導出孔（４１２）（４２２）とによって形成されている、請求項５〜７のいずれか１つに記載の単水栓。
【発明の詳細な説明】
【０００１】
【発明の属する技術分野】
本発明は、湯水混合水栓および単水栓に関する。
【０００２】
【従来の技術および発明が解決しようとする課題】
湯水混合水栓や単水栓の水栓本体としては、内部に複雑な構造の流路や弁座を備え、銅鋳物や銅合金鋳物等の鋳物により形成されたものが一般的である。
【０００３】
このような複雑な中空構造を持つ水栓本体を鋳物で作る場合、当然、それに対応した複雑な形状の鋳型や中子が必要とされるが、それらの製造は容易ではなく、コストも嵩んでしまう。また、中子は、通常、砂と樹脂とを混合して加熱することにより成形されており、鋳型内に溶融した金属を流し込んだ際、金属の熱によって中子が焼け、ガスが発生する。このガスは、通常、中子の内部を通って中子の端から鋳型の外に抜けるが、上記の通り、中子の形状が複雑であると、ガスの抜けが悪くなって、成形不良を生じ易く、特にガスにより成形品に巣穴ができ易い。このような巣穴は、漏水の原因となる上、表面の仕上がり具合に悪影響を及ぼすものであるので、好ましくない。
【０００４】
本発明の目的は、水栓本体の構造が単純であって、容易にかつ低コストで製造することができ、また、不良品の発生を抑制することができる湯水混合水栓および単水栓を提供することにある。
【０００５】
【課題を解決するための手段および発明の効果】
本発明による湯水混合水栓は、管状の水栓本体を備え、水栓本体の一端側に湯入口が、同他端側に水入口が設けられ、水栓本体における湯入口と水入口との間の長さ中間部に混合湯水出口が設けられ、水栓本体の両端開口が蓋によって閉鎖され、水栓本体内における湯入口および水入口に対応する箇所に湯側流路形成部材および水側流路形成部材がそれぞれ配置固定され、これらの部材によって、水栓本体の内部が、一端側に位置する湯側弁室と、他端側に位置する水側弁室と、長さ中間部に位置する湯水混合室とに区画されており、湯側流路形成部材および水側流路形成部材は、湯入口と湯側弁室および水入口と水側弁室をそれぞれ連通させる１次側流路と、湯側弁室と湯水混合室および水側弁室と湯水混合室をそれぞれ連通させる２次側流路とを有し、湯側弁室および水側弁室に湯側開閉弁および水側弁室がそれぞれ設けられているものである。
【０００６】
本発明による湯水混合水栓において、水栓本体が、所定長さに切断された金属管よりなる場合がある。金属管としては、ステンレス鋼管や銅管等が挙げられる。
【０００７】
また、本発明による湯水混合水栓において、水栓本体が、管状に成形された鋳物よりなる場合もある。鋳物としては、銅鋳物や銅合金鋳物等が挙げられる。
【０００８】
上記の湯水混合水栓にあっては、その水栓本体が、管状の極めて単純な構造であるので、容易にかつ低コストで製造することができる。特に、水栓本体を金属管から形成する場合には、製造容易性の面でもコストの面でも効果が大きい。また、水栓本体を鋳物製とした場合でも、鋳型や中子の製造が容易であって、コストを抑えることができる上、鋳造時に発生するガスの抜けもスムーズであり、成形不良が起こり難い。また、上記の湯水混合水栓は、これを組み立てる場合、水栓本体内に湯側と水側の流路形成部材および開閉弁を配置し、水栓本体の両端開口を蓋で閉鎖するだけでよいので、組立作業が簡単であり、製造効率が良い。
【０００９】
上記湯水混合水栓の水栓本体は、通常、左右方向に延びるように配置される。湯入口および水入口は、後方または下方に開口するように、水栓本体に設けられる。これら湯入口および水入口は、通常、給湯配管および給水配管とのネジ接合のための雄ネジまたは回動可能なナットを備えた外方突出筒状のものとなされる。混合湯水出口は、前後上下のうちいずれかの方向に開口するように、水栓本体に設けられる。この混合湯水出口も、通常、吐水管とのネジ接合のための雄ネジまたは回動可能なナットを備えた外方突出筒状のものとなされる。
【００１０】
蓋は、水栓本体の両端部にネジ接合されるのが、組立性および開閉弁のメンテナンス性の点で好ましい。通常は、蓋に雌ネジ部が形成され、水栓本体両端部に雄ネジ部が形成される。
【００１１】
本発明による湯水混合水栓において、湯側流路形成部材および水側流路形成部材それぞれが、湯入口または水入口を間に挟むように水栓本体に嵌め込まれる２枚の仕切板と、両仕切板どうしを連結する少なくとも１つの連結筒とを備えており、各流路形成部材の１次側流路が、両仕切板どうしの間隙と、弁室側に位置する仕切板に連結筒を避けてあけられた導入孔とによって形成され、２次側流路が、連結筒の内部と、連結筒の内部に通じるように両仕切板にあけられた導出孔とによって形成されているのが好ましい。
【００１２】
湯側流路形成部材および水側流路形成部材を上記のようなものとすれば、その製造が容易であって、コストを抑えることができる上、水栓本体への組み込みも容易である。
【００１３】
上記の流路形成部材において、連結筒は、通常、両仕切板の周縁部どうしを連結するように複数設けられる。そして、弁室側の仕切板の中心部に導入孔があけられる。両仕切板の周縁部には、通常、水栓本体の内周面との間をシールするＯリング等のシール部材が設けられる。
【００１４】
流路形成部材を水栓本体内に固定する手段は、特に限定されないが、例えば次のようにして該部材を固定することができる。即ち、水栓本体の内周面の所要位置に、流路形成部材における湯水混合室側の端部を受ける段差を形成するとともに、蓋の内面に、流路形成部材における弁室側の端部に当接する内方突出状の押さえ部を形成する。また、上記押さえ部に代えて、開閉弁の一部またはスペーサを介して、蓋により、流路形成部材を段差に押し付けて固定するようにしてもよい。
その他の固定手段としては、開閉弁の不動部分（ハウジング等）と流路形成部材とをネジ接合等により一体化するとともに、開閉弁の不動部分に外向きフランジ部を形成し、このフランジ部を、水栓本体の端面と蓋の内面とで挟み付けることにより、流路形成部材を固定するものが挙げられる。この手段の場合、水栓本体の内周面に上記のような段差を形成する必要がないので、それだけ水栓本体の製造が容易となり、コストも抑えられる。
【００１５】
開閉弁は、スライド弁やリフト弁によって構成することができる。
スライド弁としては、例えば、内部が流路形成部材の１次側流路に通じるように弁室に固定状に配されかつ周壁に連通孔を有する筒状ハウジングと、ハウジング内の内端部に配置固定されかつ湯通過孔または水通過孔を有する固定ディスクと、固定ディスクの外面に回動可能に重ねられかつ回動に伴って固定ディスクの湯通過孔または水通過孔を開閉し得る可動ディスクと、内端が可動ディスクに接続されかつ蓋を貫通して外端が水栓本体の外方に突出するスピンドルと、スピンドルの外端に設けられたハンドルとを備えたものを挙げることができる。この場合、ハウジングの内端部を、流路形成部材における弁室側の端部に、ネジ接合等によって固定することができる。また、ハウジングに、前述した外向きフランジ部を一体に形成することができる。
リフト弁としては、例えば、蓋にあけられた貫通孔に固定される筒状ハウジングと、ハウジングに挿通されかつ外端を回動させることにより内端が長さ方向に移動するスピンドルと、スピンドルの外端に設けられたハンドルと、スピンドルの内端に設けられかつハンドルの回動操作により流路形成部材の１次側流路の出口（弁座）に対して当接または離間させられる弁体とを備えたものを挙げることができる。
【００１６】
次に、本発明による単水栓は、管状の水栓本体を備え、水栓本体の長さ中間部に湯または水入口が設けられ、水栓本体の両端開口が蓋によって閉鎖され、水栓本体の一端側部分または一端側の蓋に湯または水出口が設けられ、水栓本体内における湯または水入口に対応する箇所に流路形成部材が配置固定され、該部材によって、水栓本体の内部が、他端側に位置する弁室と、一端側に位置しかつ湯または水出口に通じる導出室とに区画されており、流路形成部材は、湯または水入口と弁室とを連通させる１次側流路と、弁室と導出室とを連通させる２次側流路とを有し、弁室に開閉弁が設けられているものである。
【００１７】
本発明による単水栓において、水栓本体が、所定長さに切断された金属管よりなる場合がある。金属管としては、ステンレス鋼管や銅管等が挙げられる。
【００１８】
また、本発明による単水栓において、水栓本体が、管状に成形された鋳物よりなる場合もある。鋳物としては、銅鋳物や銅合金鋳物等が挙げられる。
【００１９】
上記の単水栓にあっては、その水栓本体が、管状の極めて単純な構造であるので、金属管や鋳物によって容易にかつ低コストで製造することができる。また、水栓本体を鋳物製とした場合でも、鋳型や中子の製造が容易であって、コストを抑えることができる上、成形不良が起こり難い。さらに、上記単水栓は、その組立作業が簡単であり、製造効率が良い。
【００２０】
上記単水栓の水栓本体は、通常、上下方向または左右方向に延びるように配置される。
水栓本体を上下方向に配置した場合、湯または水入口は、後方に開口するように、水栓本体に設けられる。この場合、水栓本体内の上端部側に弁室が設けられ、下端部側に導出室が設けられる。湯または水出口は、下端の蓋に設けられる他、前方または左右いずれか一側方に開口するように水栓本体に設けられる場合もある。
一方、水栓本体を左右方向に配置した場合、湯または水入口は、後方または下方に開口するように設けられる。また、この場合、水栓本体内の上端側に弁室が設けられ、下端側に導出室が設けられる。湯または水出口は、下端の蓋に設けられる他、前方または左右いずれか一側方に開口するように水栓本体に設けられる場合もある。
【００２１】
水栓本体を左右方向に配置した場合、湯または水出口は、後方または下方に開口するように、水栓本体に設けられる。この場合、弁室は、水栓本体内の左右いずれか一端部側に弁室が設けられる。湯または水出口は、他端の蓋に設けられる他、前後上下のうちいずれかの方向に開口するように水栓本体に設けられる。
【００２２】
湯または水入口は、通常、給湯または給水配管とのネジ接合のための雄ネジまたは回動可能なナットを備えた外方突出筒状のものとなされる。同様に、湯または水出口も、通常、吐水管とのネジ接合のための雄ネジまたは回動可能なナットを備えた外方突出筒状のものとなされる。
【００２３】
本発明による単水栓において、流路形成部材が、湯または水入口を挟むように互いに間隔をおいて水栓本体内に嵌め込まれる２枚の仕切板と、両仕切板どうしを連結する少なくとも１つの連結筒とを備えており、該部材の１次側流路が、両仕切板どうしの間隙と、弁室側に位置する仕切板に連結筒を避けてあけられた導入孔とによって形成され、２次側流路が、連結筒の内部と、連結筒の内部に通じるように両仕切板にあけられた導出孔とによって形成されているのが好ましい。
【００２４】
流路形成部材を上記のようなものとすれば、その製造が容易であって、コストを抑えることができる上、水栓本体への組み込みも容易である。
【００２５】
上記単水栓のその他の構成については、前述した本発明による湯水混合水栓と実質的に同様のものとすることができる。
【００２６】
【発明の実施の形態】
図１〜３は、本発明の第１の実施形態を示すものである。
図１に示すように、本発明による湯水混合水栓（１）は、左右方向に延びる管状の水栓本体（２）を備えている。水栓本体（２）は、所定長さに切断されたステンレス鋼管よりなる。
【００２７】
水栓本体（２）の左端側に湯入口（２１Ａ）が、同右端側に水入口（２１Ｂ）が設けられ、水栓本体（２）における湯入口（２１Ａ）と水入口（２１Ｂ）との間の長さ中間部に混合湯水出口（２２）が設けられている。湯入口（２１Ａ）および水入口（２１Ｂ）は、図１および２に示すように、後方に突出しかつ雄ネジ部（２１１）を有する筒状のものとなされている。そして、湯入口（２１Ａ）の雄ネジ部（２１１）に給湯配接続用クランク（６１Ａ）の先端の雌ネジ部（６１１）がねじ嵌められ、湯入口（２１Ａ）の雄ネジ部（２１１）に給水配管接続用クランク（６１Ｂ）の先端の雌ネジ部（６１１）がねじ嵌められる。混合湯水出口（２２）は、図１に示すように、下方に突出しかつ雄ネジ部（２２１）を有する筒状のものとなされている。そして、混合湯水出口（２２）の雄ネジ部（２２１）に、吐水管（６２）の基端の雌ネジ部（６２１）がねじ嵌められる。なお、この実施形態では、湯入口（２１Ａ）、水入口（２１Ｂ）および混合湯水出口（２２）は、水栓本体（２）を構成するステンレス鋼管の所要箇所にあけられた孔の周縁に、ステンレス鋼管製の雄ネジ付き口部材を溶接することにより形成されている。
【００２８】
水栓本体（２）の左右両端開口は、それぞれ蓋（３）によって閉鎖されている。左右２つの蓋（３）は、雌ネジ部（３１）を有しており、これら雌ネジ部（３１）が、水栓本体（２）の両端部に形成された雄ネジ部（２４）にねじ嵌められることにより、蓋（３）が水栓本体（２）に固定されている。蓋（３）の中心部には、貫通孔（３２）があけられている。
【００２９】
図１に示すように、水栓本体（２）内における湯入口（２１Ａ）に対応する箇所に湯側流路形成部材（４Ａ）が配置固定され、水栓本体（２）内における水入口（２２Ｂ）に対応する箇所に水側流路形成部材（４Ｂ）が配置固定されている。そして、これらの部材（４Ａ）（４Ｂ）によって、水栓本体（２）内が、左端側に位置する湯側弁室（２０Ａ）と、右端側に位置する水側弁室（２０Ｂ）と、長さ中間部に位置する湯水混合室（２０Ｃ）とに区画されている。
【００３０】
湯側流路形成部材（４Ａ）は、湯入口（２１Ａ）と湯側弁室（２０Ａ）を連通させる１次側流路（４０１）と、湯側弁室（２０Ａ）と湯水混合室（２０Ｃ）を連通させる２次側流路（４０２）とを有している。水側流路形成部材（４Ｂ）は、水入口（２１Ｂ）と水側弁室（２０Ｂ）を連通させる１次側流路（４０１）と、水側弁室（２０Ｂ）と湯水混合室（２０Ｃ）を連通させる２次側流路（４０２）とを有している。湯側弁室（２０Ａ）に湯側開閉弁（５Ａ）が設けられ、水側弁室（２０Ｂ）に水側開閉弁（５Ｂ）が設けられている。
【００３１】
湯側流路形成部材（４Ａ）および水側流路形成部材（４Ｂ）は、同様の構造を有している。これらのうち水側流路形成部材（４Ｂ）の構造を、図２および３を参照して詳しく説明すると、水側流路形成部材（４Ｂ）は、水入口（２１Ｂ）を挟むように互いに間隔をおいて水栓本体（２）内に嵌め込まれる２枚の仕切板（４１）（４２）と、両仕切板（４１）（４２）どうしを連結する４つの連結筒（４３）とを備えている。そして、同流路形成部材（４Ｂ）の１次側流路（４０１）が、両仕切板（４１）（４２）どうしの間隙と、水側弁室（２０Ｂ）側に位置する仕切板（４１）に連結筒（４３）を避けてあけられた導入孔（４１１）とによって形成され、２次側流路（４０２）が、連結筒（４３）の内部と、連結筒（４３）の内部に通じるように両仕切板（４１）（４２）にあけられた導出孔（４１２）（４２２）とによって形成されている。４つの連結筒（４３）は、２枚の仕切板（４１）（４２）の周縁部同士を連結するように、仕切板（４１）（４２）の周方向に等間隔おきに配されている。導入孔（４１１）は、水側弁室（２０Ｂ）側の仕切板（４１）の中心部にあけられている。導入孔（４１１）には、雌ネジ（４１１ａ）が形成されている。導出孔（４１２）（４２２）は、連通筒（４３）に対応するように、各仕切板（４１）（４２）の周縁部に４つずつあけられている。各仕切板（４１）（４２）の周縁部には、Ｏリングよりなりかつ水栓本体（２）内周面との間をシールするシール部材（４４）が設けられている。仕切板（４１）（４２）および連結筒（４３）は、例えばステンレス鋼等の金属から形成され、仕切板（４１）（４２）と連結筒（４３）とは溶接等により接合一体化される。湯水混合室（２０Ｃ）側の仕切板（４２）は、水栓本体（２）内周面に形成された段差（２３）に受けられている。
【００３２】
湯側開閉弁（５Ａ）および水側開閉弁（５Ｂ）は、同様の構造を有するスライド弁よりなる。これらのうち水側開閉弁（５Ｂ）の構造を、図２を参照して詳しく説明すると、水側開閉弁（５Ｂ）は、内部が水側流路形成部材（４Ｂ）の１次側流路（４０１）に通じるように水側弁室（２０Ｂ）に固定状に配されかつ周壁に連通孔（５１１）を有する筒状ハウジング（５１）と、ハウジング（５１）内の内端部に配置固定されかつ水通過孔（図示略）を有する固定ディスク（５２）と、固定ディスク（５２）の外面に回動自在に重ねられかつ回動によって固定ディスク（５２）の水通過孔を開閉し得る可動ディスク（５３）と、内端が可動ディスク（５３）に接続されかつ蓋（３）を貫通して外端が水栓本体（２）の外方に突出するスピンドル（５４）と、スピンドル（５４）の外端に設けられたハンドル（５５）とを備えている。ハウジング（５１）の内端部に雄ネジ部（５１２）が設けられ、この雄ネジ部（５１２）が流路形成部材（４Ｂ）の導入孔（４１１）の雌ネジ部（４１１ａ）にねじ込まれることにより、ハウジング（５１）が流路形成部材（４Ｂ）に接合されている。ハウジング（５１）の外端部は、蓋（３）の貫通孔（３２）を通じて水栓本体（２）の外方に突出させられている。ハウジング（５１）の長さ中央部には、環状の外向きフランジ部（５１３）が一体に形成されている。この外向きフランジ部（５１３）は、蓋（３）の貫通孔（３２）に形成された段差（３２１）に受けられている。スピンドル（５４）は、その外端部がハウジング（５１）の外端から突出するような長さを有している。ハンドル（５５）は、例えば、ビス（図示略）によって、スピンドル（５４）の外端に着脱自在に取り付けられる。
【００３３】
上記の湯水混合水栓の組立は、例えば次のようにして行われる。即ち、まず、湯側および水側それぞれについて、流路形成部材（４Ａ）（４Ｂ）における弁室（２０Ａ）（２０Ｂ）側の仕切板（４１）と、開閉弁（５Ａ）（５Ｂ）のハウジング（５１）とをネジ接合しておく。なお、開閉弁（５Ａ）（５Ｂ）のハンドル（５５）は、スピンドル（５４）の外端から取り外しておく。そして、これら一体化された流路形成部材（４Ａ）（４Ｂ）と開閉弁（５Ａ）（５Ｂ）とを、流路形成部材（４Ａ）（４Ｂ）における湯水混合室（２０Ｃ）側の仕切板（４２）が、水栓本体（２）内の段差（２３）に当たるまで、水栓本体（２）内に挿入する。こうしておいて、蓋（３）を水栓本体（２）の端部にねじ嵌めると、蓋（３）の貫通孔（３２）の段差（３２１）が開閉弁（５Ａ）（５Ｂ）のハウジング（５１）の外向きフランジ部（５１３）に当接する。その結果、流路形成部材（４Ａ）（４Ｂ）および開閉弁（５Ａ）（５Ｂ）のハウジング（５１）が、水栓本体（２）内の所定位置で固定される。その後、スピンドル（５４）の外端に、ハンドル（５５）を取り付ける。また、湯入口（２１Ａ）および水入口（２１Ｂ）にクランク（６１Ａ）（６１Ｂ）をネジ接合し、混合湯水出口（２２）に吐水管（６２）をネジ接合する。こうして、図１に示す湯水混合水栓（１）が得られる。このように、上記湯水混合水栓（１）は、極めて簡単に組み立てることができる。また、水栓本体（２）が、ステンレス鋼管製であるので、その製造が容易であり、コストも安くつく。
【００３４】
上記の湯水混合水栓（１）にあっては、例えば、水側開閉弁（５Ｂ）のハンドル（５５）を開方向に回すと、スピンドル（５４）を介して可動ディスク（５３）が開方向に回動し、固定ディスク（５２）の水通過孔が開く。すると、給水配管からの水が、水栓本体（２）の水入口（２１Ｂ）、流路形成部材（４Ｂ）の１次側流路（４０１）、開閉弁（５Ｂ）のハウジング（５１）内、固定ディスク（５２）の水通過孔およびハウジング（５１）の連通孔（５１１）を順次通って、弁室（２０Ｂ）に流れ込み、ここから流路形成部材（４Ｂ）の２次側流路（４０２）を経て、湯水混合室（２０Ｃ）に至る。湯側開閉弁（５Ａ）のハンドル（５５）を開方向に回した場合も、前記と同様にして、給湯配管からの湯が湯水混合室（２０Ｃ）に至る。湯水混合室（２０Ｃ）に達した湯と水とは、ここで混合されてから、混合湯水出口（２２）を経て、吐水管（６２）の先端から吐出される。止水する場合には、湯側開閉弁（５Ａ）および水側開閉弁（５Ｂ）のハンドル（５５）を閉方向に回して、固定ディスク（５２）の湯通過孔および水通過孔を閉じればよい。
【００３５】
図４には、本発明の第２の実施形態が示されている。この実施形態の湯水混合水栓（１）は、以下の点を除いて、図１〜３に示す第１の実施形態の湯水混合水栓（１）と同じである。即ち、図４の湯水混合水栓（１）にあっては、各開閉弁（５Ａ）（５Ｂ）におけるハウジング（５１）の外向きフランジ部（５１３）が、Ｏリングよりなるシール部材（５１４）を介して水栓本体（２）の端部内周面に密接させられている径小部（５１３ａ）と、径小部（５１３ａ）の外側に設けられかつ水栓本体（２）の端面と蓋（３）の内面との間に介在される径大部（５１３ｂ）とを備えている。このように外向きフランジ部（５１３）の径大部（５１３ｂ）が水栓本体（２）の端面と蓋（３）とで挟み付けられることにより、流路形成部材（４Ａ）（４Ｂ）および開閉弁（５Ａ）（５Ｂ）のハウジング（５１）が、水栓本体（２）内の所定位置で固定されている。したがって、この実施形態では、水栓本体（２）の内周面に段差を形成する必要がなく、より一層、水栓本体（２）の製造が容易となる。
【００３６】
図５には、本発明の第３の実施形態が示されている。この実施形態の湯水混合水栓（１）は、以下の点を除いて、図１〜３に示す第１の実施形態の湯水混合水栓（１）と同じである。即ち、図５の湯水混合水栓（１）にあっては、各開閉弁（５０Ａ）（５０Ｂ）がリフト弁により構成されている。より詳細には、各開閉弁（５０Ａ）（５０Ｂ）は、蓋（３）にあけられた貫通孔（３２）に嵌め込まれた筒状ハウジング（５０１）と、ハウジング（５０１）に挿通されかつ外端を回動させることにより内端が長さ方向に移動するスピンドル（５０２）と、スピンドル（５０２）の外端に設けられたハンドル（５０３）と、スピンドル（５０３）の内端に設けられかつハンドル（５０３）の回動操作により流路形成部材（４Ａ）（４Ｂ）の１次側流路（４０１）出口、即ち、弁座（図示略）に対して当接または離間させられる弁体（５０４）とを備えている。ハウジング（５０１）は、その外周面に形成された雄ネジ部（５０１ａ）を、蓋（３）の貫通孔（３２）に形成された雌ネジ部（３２２）にねじ込むことにより、蓋（３）に固定されている。スピンドル（５０２）は、外端部が水栓本体（２）の外方に突出するようにハウジング（５０１）に挿入され、内端部に雄ネジ部を有し、かつ長さ方向には移動不能であるが回転可能となされた第１スピンドル部材（５０２ａ）と、外端側に第１スピンドル部材（５０２ａ）の雄ネジ部にねじ嵌められる雌ネジ部を有し、かつ内端部が弁体（５０４）に接続されている第２スピンドル部材（５０２ｂ）とで構成されている。
【００３７】
また、図５に示す湯水混合水栓（１）では、蓋（２）の内面周縁部に、流路形成部材（４Ａ）（４Ｂ）における弁室（２０Ａ）（２０Ｂ）側の仕切板（４１）に当接する内方突出状の押さえ部（３３）が形成されている。
【００３８】
上記の湯水混合水栓（１）にあっては、例えば、水側開閉弁（５０Ｂ）のハンドル（５０３）を開方向に回すと、弁体（５０４）が外方に移動させられて、弁座から離間させられ、弁室（２０Ａ）（２０Ｂ）側の仕切板（４１）の導入孔（４１１）が開放される。すると、給水配管からの水が、水栓本体（２）の水入口（２１Ｂ）および流路形成部材（４Ｂ）の１次側流路（４０１）を通って、弁室（２０Ｂ）に流れ込み、ここから流路形成部材（４Ｂ）の２次側流路（４０２）を経て、湯水混合室（２０Ｃ）に至る。湯側開閉弁（５０Ｂ）のハンドル（５０３）を開方向に回した場合も、前記と同様にして、給湯配管からの湯が湯水混合室（２０Ｃ）に至る。湯水混合室（２０Ｃ）に達した湯と水とは、ここで混合されてから、混合湯水出口（２２）を経て、吐水管（６１）の先端から吐出される。止水する場合には、湯側開閉弁（５０Ａ）および水側開閉弁（５０Ｂ）のハンドルを閉方向に回して、弁体（５０４）を弁座に当接させ、弁室（２０Ａ）（２０Ｂ）側の仕切板（４１）の導入孔（４１１）を閉じればよい。
【００３９】
図６および７には、本発明の第４の実施形態が示されている。
図６および７に示すように、本発明による給水用単水栓（１００）は、上下方向に延びる管状の水栓本体（２００）を備えている。水栓本体（２００）は、所定長さに切断されたステンレス鋼管よりなる。
【００４０】
水栓本体（２００）の長さ中間部には、水入口（２１０）が設けられている。水入口（２１０）は、後方に突出しかつ雄ネジ部（２１１）を有する水平筒状のものとなされている。雄ネジ部（２１１）には、給水配管先端の雌ネジ部（図示略）がねじ嵌められるようになっている。この実施形態では、水入口（２１０）は、水栓本体（２００）を構成するステンレス鋼管の所要箇所にあけられた孔の周縁に、ステンレス鋼管製の雄ネジ付き口部材を溶接することにより形成されている（図７参照）。図６に示すように、水入口（２１０）には、環状のカバー（Ｃ）が嵌め被せられるようになっている。
【００４１】
水栓本体（２０）の上下両端開口は、それぞれ蓋（３００Ａ）（３００Ｂ）によって閉鎖されている。上端側の蓋（３００Ａ）は、雌ネジ部（３０１）を有しており、この雌ネジ部（３０１）が、水栓本体（２００）の上端部に形成された雄ネジ部（２４０）にねじ嵌められることにより、該蓋（３００Ａ）が水栓本体（２００）に固定されている。上端側の蓋（３００Ａ）の中心部には、貫通孔（３２０）があけられている。一方、下端側の蓋（３００Ｂ）は、雄ネジ部（図示略）を有しており、この雄ネジ部が、水栓本体（２００）の下端部に形成された雌ネジ部（図示略）にねじ嵌められることにより、該蓋（３００Ｂ）が水栓本体（２００）に固定されている。下端側の蓋（３００Ｂ）には、水出口（３１０）が設けられている。水出口（３１０）には、吐水管（６００）の基端部が回動自在に接続されている。
【００４２】
水栓本体（２００）内における水入口（２１０）に対応する箇所に流路形成部材（４００）が配置固定されている。そして、該部材（４００）によって、水栓本体（２００）内が、上端側に位置する弁室（２００Ａ）と、下端側に位置しかつ水出口（３１０）に通じる導出室（２００Ｂ）とに区画されている。
【００４３】
流路形成部材（４００）は、水入口（２１０）と弁室（２００Ａ）とを連通させる１次側流路（４０１）と、弁室と導出室とを連通させる２次側流路とを有している。そして、弁室に、開閉弁が設けられている。
【００４４】
図７に詳しく示すように、流路形成部材（４００）は、水入口（２１０）を挟むように互いに間隔をおいて水栓本体（２００）内に嵌め込まれる２枚の仕切板（４１）（４２）と、両仕切板（４１）（４２）どうしを連結する４つの連結筒（４３）とを備えている。そして、該部材（４００）の１次側流路（４０１）が、両仕切板（４１）（４２）どうしの間隙と、弁室（２００Ａ）側に位置する仕切板（４１）に連結筒（４３）を避けてあけられた導入孔（４１１）とによって形成され、２次側流路（４０２）が、連結筒（４３）の内部と、連結筒（４３）の内部に通じるように両仕切板（４１）（４２）にあけられた導出孔（４１２）（４２２）とによって形成されている。この流路形成部材（４００）は、上下方向に配置されている点を除いて、図１〜３に示す第１の実施形態の各流路形成部材（４Ａ）（４Ｂ）と同じ構造を有しているので、詳しい説明は省略する。導出室（２００Ｂ）側の仕切板（４２）は、水栓本体（２００）内周面に形成された段差（２３０）に受けられている。
【００４５】
開閉弁（５００）は、スライド弁よりなる。この開閉弁（５００）も、上下方向に配置されている点を除いて、図１〜３に示す第１の実施形態の各開閉弁（５Ａ）（５Ｂ）と同じ構造を有しているので、詳しい説明は省略する。
【００４６】
上記単水栓（１００）の組立は、例えば次のようにして行われる。即ち、まず、流路形成部材（４００）における弁室（２００Ａ）側の仕切板（４１）と開閉弁（５００）のハウジング（５１）とをネジ接合しておく。なお、開閉弁（５００）のハンドル（５５）は、スピンドル（５４）の外端から取り外しておく。そして、これら一体化された流路形成部材（４００）と開閉弁（５００）とを、流路形成部材（４００）における導出室（２００Ｂ）側の仕切板（４２）が、水栓本体（２００）内の段差（２３０）に受けられるまで、水栓本体（２００）内に挿入する。こうしておいて、蓋（３００Ａ）を水栓本体（２００）の上端部にねじ嵌めると、蓋（３００Ａ）の貫通孔（３２０）の段差（３２１）が開閉弁（５００）のハウジング（５１）の外向きフランジ部（５１３）に当接し、これにより、流路形成部材（４００）および開閉弁（５００）のハウジング（５１）が、水栓本体（２００）内の所定位置で固定される。その後、スピンドル（５４）の上端に、ハンドル（５５）を取り付ける。一方、下端側の蓋（３００Ｂ）を、その水出口（３１０）に吐水管（６００）の基端部をネジ接合しておいてから、水栓本体（２００）の下端部にネジで固定する。こうして、図６および７に示す単水栓（１００）が得られる。このように、上記単水栓（１００）は、極めて簡単に組み立てることができる。また、水栓本体（２００）が、ステンレス鋼管製であるので、その製造が容易であり、コストも安くつく。
【００４７】
上記の単水栓（１００）にあっては、開閉弁（５００）のハンドル（５５）を開方向に回すと、スピンドル（５４）を介して可動ディスク（５３）が開方向に回動し、固定ディスク（５２）の水通過孔（図示略）が開く。すると、給水配管からの水が、水栓本体（２００）の水入口（２１０）、流路形成部材（４００）の１次側流路（４０１）、開閉弁（５００）のハウジング（５１）内、固定ディスク（５２）の水通過孔およびハウジング（５１）の連通孔（５１１）を順次通って、弁室（２００Ａ）に流れ込み、ここから流路形成部材（４００）の２次側流路（４０２）を経て、導出室（２００Ｂ）に至る。導出室（２００Ｂ）に達した水は、ここから、水出口（３１０）を経て、吐水管（６００）の先端から吐出される。止水する場合には、開閉弁（５００）のハンドル（５５）を閉方向に回して、固定ディスク（５２）の水通過孔を閉じればよい。
【００４８】
図８には、本発明の第５の実施形態が示されている。
図８に示すように、本発明による給水用単水栓（１００Ａ）は、左右方向に延びる管状の水栓本体（２００）を備えている。水栓本体（２００）は、所定長さに切断されたステンレス鋼管よりなる。
【００４９】
水栓本体（２００）の長さ中間部には、水入口（２１０）が設けられている。水入口（２１０）は、後方に突出しかつ雄ネジ部（２１１）を有する水平筒状のものとなされている。雄ネジ部（２１１）には、給水配管先端の雌ネジ部（図示略）がねじ嵌められるようになっている。
【００５０】
水栓本体（２００）の左右両端開口は、それぞれ蓋（３００Ａ）（３００Ｃ）によって閉鎖されている。右端側の蓋（３００Ａ）は、雌ネジ部（図示略）を有しており、この雌ネジ部が、水栓本体（２００）の右端部に形成された雄ネジ部（図示略）にねじ嵌められることにより、該蓋（３００Ａ）が水栓本体（２００）に固定されている。一方、左端側の蓋（３００Ｂ）は、雄ネジ部（図示略）を有しており、この雄ネジ部が、水栓本体の左端部に形成された雌ネジ部（図示略）にねじ嵌められることにより、該蓋（３００Ｂ）が水栓本体（２００）に固定されている。左端側の蓋（３００Ｂ）は、略ドーム形のものであって、その先端側には、下方に開口した水出口（３１０）が設けられている。水出口（３１０）には、吐水管（６００）の基端部が回動自在に接続されている。
【００５１】
水栓本体（２００）内における水入口（２１０）に対応する箇所に流路形成部材（４００）が配置固定されている。そして、該部材（４００）によって、水栓本体（２００）内が、右端側に位置する弁室（２００Ａ）と、左端側に位置しかつ水出口（３１０）に通じる導出室（２００Ｂ）とに区画されている。
【００５２】
流路形成部材（４００）は、水入口（２１０）と弁室（２００Ａ）とを連通させる１次側流路（４０１）と、弁室（２００Ａ）と導出室（２００Ｂ）とを連通させる２次側流路（４０２）とを有している。そして、弁室（２００Ａ）に、開閉弁（５００）が設けられている。流路形成部材（４００）および開閉弁（５００）は、図１〜３に示す第１の実施形態のそれらと同じ構造を有しているので、詳しい説明は省略する。
【００５３】
上記以外は、図６および７に示す第４の実施形態と実質的に同じである。
【００５４】
なお、上記の各実施形態はあくまでも例示にすぎず、特許請求の範囲に記載された本発明の要旨を逸脱しない範囲で適宜に変更を加えた上で本発明を実施することも勿論可能である。
【図面の簡単な説明】
【図１】本発明の第１の実施形態を示すものであって、湯水混合水栓の斜視図である。
【図２】図１の湯水混合水栓の右端側部分を拡大して示す水平断面図である。
【図３】図１の湯水混合水栓の流路形成部材を示す斜視図である。
【図４】本発明の第２の実施形態を示すものであって、湯水混合水栓の右端側部分の水平断面図である。
【図５】本発明の第３の実施形態を示すものであって、湯水混合水栓の右端側部分の水平断面図である。
【図６】本発明の第４の実施形態を示すものであって、単水栓の斜視図である。
【図７】図６の単水栓の垂直断面図である。
【図８】本発明の第５の実施形態を示すものであって、単水栓の斜視図である。
【符号の説明】
（１）：湯水混合水栓
（２）：水栓本体
（２０Ａ）：湯側弁室
（２０Ｂ）：水側弁室
（２０Ｃ）：湯水混合室
（２１Ａ）：湯入口
（２１Ｂ）：水入口
（２２）：混合湯水出口
（３）：蓋
（４Ａ）：湯側流路形成部材
（４Ｂ）：水側流路形成部材
（４０１）：１次側流路
（４０２）：２次側流路
（４１）（４２）：仕切板
（４１１）：導入孔
（４１２）（４２２）：導出孔
（４３）：連結筒
（５Ａ）：湯側開閉弁
（５Ｂ）：水側開閉弁
（１００）（１００Ａ）：単水栓
（２００）：水栓本体
（２００Ａ）：弁室
（２００Ｂ）：導出室
（２１０）：水入口
（３００Ａ）（３００Ｂ）：蓋
（３１０）：水出口
（４００）：流路形成部材
（５００）：開閉弁
【図１】
2004076888.tif 000003
【図２】
2004076888.tif 000004
【図３】
2004076888.tif 000005
【図４】
2004076888.tif 000006
【図５】
2004076888.tif 000007
【図６】
2004076888.tif 000008
【図７】
2004076888.tif 000009
【図８】
2004076888.tif 000010